(57)【特許請求の範囲】
【請求項１】
ステンレス金属線材（11）をそれぞれ経糸および緯糸とする織物構造からなるワイヤーメッシュシート基材（１）と；このワイヤーメッシュシート基材（１）に積層されており、かつ、防湿性を有し、熱可塑性樹脂材料を薄手シート状に成形してなる防湿シート基材（２）とを具備して構成される積層シート材であって、
前記ワイヤーメッシュシート基材（１）の両面にそれぞれ防湿シート基材（２・２）が被覆されている一方、
これら対向する防湿シート基材（２・２）同士の少なくとも一部が、前記ワイヤーメッシュシート基材（１）のメッシュ目（12）を貫通した状態で互いに接合されて、当該ワイヤーメッシュシート基材（１）を挟持しており、これら少なくとも三層のシート基材が積層一体化して構成されており、
更に前記ワイヤーメッシュシート基材（１）の表面における何れか一面のみに、防湿シート基材（２）が貼られていない複数の露出箇所が形成されて、この一面における防湿シート基材(２)の貼り合わせ面積の割合が５０〜９０％となっていることを特徴とする防蟻シート材。
【請求項２】
ワイヤーメッシュシート基材（１）のメッシュ目（12）内に防湿シート基材（２）の熱溶融樹脂が滲入硬化して、防湿シート基材（２・２）同士が接合一体化されていることを特徴とする請求項１記載の防蟻シート材。
【請求項３】
防湿シート基材（２・２）同士の対向部分の全面が接合していることを特徴とする請求項１または２記載の防蟻シート材。
【請求項４】
ワイヤーメッシュシート基材（１）のステンレス金属線材（11）の線径が、０．０５ｍｍ以上であることを特徴とする請求項１〜３の何れか一つに記載の防蟻シート材。
【請求項５】
ワイヤーメッシュシート基材（１）のメッシュ目（12）の一辺サイズが、０．２〜０．５ｍｍであることを特徴とする請求項１〜４の何れか一つに記載の防蟻シート材。
【請求項６】
防湿シート基材（２）を構成する熱可塑性樹脂材料が、ポリエチレンまたはエチレン酢酸ビニルであることを特徴とする請求項１〜５の何れか一つに記載の防蟻シート材。
【請求項７】
ステンレス金属線材（11）をそれぞれ経糸および緯糸として、織物構造からなるワイヤーメッシュシート基材（１）を作製する一方、
防湿性を有し、熱可塑性樹脂材料を押出成形機によって薄手シート状に押し出して防湿シート基材（２）を作製し、
前記ワイヤーメッシュシート基材（１）の両面にそれぞれ防湿シート基材（２・２）を被覆する一方、
これら対向する防湿シート基材（２・２）を帯熱軟化状態にしてヒートプレスして、防湿シート基材（２・２）同士の少なくとも一部を、前記ワイヤーメッシュシート基材（１）のメッシュ目（12）を貫通した状態で冷却硬化することによって互いに接合し、当該ワイヤーメッシュシート基材（１）を挟持して、これら少なくとも三層のシート基材を積層一体化し、
更に積層一体化したシート基材の表面における何れか一面において、防湿シート基材（２）を部分的に剥離してワイヤーメッシュシート基材(１)を露出させ、この一面における防湿シート基材(２)の貼り合わせ面積の割合を５０〜９０％とすることを特徴とする防蟻シート材の製造方法。
【請求項８】
ステンレス金属線材（11）をそれぞれ経糸および緯糸とする織物構造からなるワイヤーメッシュシート基材（１）と；このワイヤーメッシュシート基材（１）に積層一体化されており、かつ、防湿性を有し、熱可塑性樹脂材料を薄手シート状に成形してなる防湿シート基材（２）とを具備して構成されるシート材を用いる防蟻構造であって、
前記ワイヤーメッシュシート基材（１）の両面をそれぞれ防湿シート基材（２・２）が被覆している一方、
これら対向する防湿シート基材（２・２）同士の少なくとも一部が、前記ワイヤーメッシュシート基材（１）のメッシュ目（12）を貫通した状態で互いに接合されて、当該ワイヤーメッシュシート基材（１）を挟持しており、これら少なくとも三層のシート基材が積層一体化して構成されている一方、
前記防湿シート基材（２）の非接着部分（21）または非対向部分において、露出したワイヤーメッシュシート基材（１）と構造物の躯体（３）とがシーラント接着剤（４）によって接着されていることを特徴とする防蟻シート材を用いた防蟻構造。
【発明の詳細な説明】
【技術分野】
【０００１】
本発明は、建造物技術の改良、更に詳しくは、形態安定性に優れ、かつ、建造物への布設も容易な防蟻シート材およびその製造方法、およびそれを用いた防蟻構造に関するものである。
【背景技術】
【０００２】
周知のとおり、建物の床下空間はなるべく乾燥しているのが好ましく、湿気が高いと、其処で生活する人の健康に有害であるだけでなく、シロアリが繁殖し易くなったり、木質の土台や束などにキチリメンタケ、イドダケ、ナミダタケ等が発生して腐朽したりして、当該建物の安全を根元部分から脅かすことにもなりかねない。
【０００３】
そこで、このような床下空間の高湿度による弊害を防止するために、防蟻防湿性のシート材を床下に敷き詰めて、土壌面を被覆して、シロアリの侵入を防いだり、余分な水蒸気（湿気や水分）を抑止する必要がある。
【０００４】
従来、かかる防蟻シート材にあっては、金属線材からなるメッシュ状のシート基材の片面に、樹脂製のシート基材を貼り合わせて構成したものが開示されている（例えば、特許文献１参照）。
【０００５】
しかしながら、金属メッシュシートのシロアリなどの昆虫の体格（体の幅や太さ）に対し、メッシュサイズ（金属線材の径など）が侵入防止のために不適合であったため、体幅が１．１〜１．２５ｍｍのイエシロアリや、体幅が１．０〜１．２ｍｍのヤマトシロアリなどはメッシュ目から通過してしまうおそれがあり、十分な防蟻効果が得られないという問題があった。
【０００６】
また、樹脂製シートが金属メッシュシートの片面にのみ溶着されているため、樹脂製シートの一寸した変形の影響によって、シート全体が反り返ってしまい、メッシュがよれて開口部が広がったり、施工箇所の端がめくれて、シロアリが通過してしまうというおそれがあった。
【先行技術文献】
【特許文献】
【０００７】
【特許文献１】特開２０００−２３４３９９号公報（第２−４頁、図１）
【発明の概要】
【発明が解決しようとする課題】
【０００８】
本発明は、従来の防蟻シート材に上記のような問題があったことに鑑みて為されたものであり、その目的とするところは、形態安定性に優れ、かつ、建造物への布設も容易な防蟻シート材を提供することにある。
【０００９】
また、本発明は、簡素な工程で合理的に作製することができる防蟻シート材の製造方法を提供することを技術的課題とする。
【００１０】
更にまた、本発明は、良好な施工性であり、シロアリの侵入を確実に防止することができる防蟻シート材を用いた防蟻構造を提供することを技術的課題とする。
【課題を解決するための手段】
【００１１】
本発明者が上記課題を解決するために採用した手段を添付図面を参照して説明すれば次のとおりである。
【００１２】
即ち、本発明は、ステンレス金属線材11をそれぞれ経糸および緯糸とする織物構造からなるワイヤーメッシュシート基材１と；このワイヤーメッシュシート基材１に積層されており、かつ、防湿性を有し、熱可塑性樹脂材料を薄手シート状に成形してなる防湿シート基材２とを具備して構成される積層シート材であって、
前記ワイヤーメッシュシート基材１の両面にそれぞれ防湿シート基材２・２を被覆する一方、
これら対向する防湿シート基材２・２同士の少なくとも一部を、前記ワイヤーメッシュシート基材１のメッシュ目12を貫通した状態で互いに接合して、当該ワイヤーメッシュシート基材１を挟持して、これら少なくとも三層のシート基材を積層一体化し、
更に前記ワイヤーメッシュシート基材１の表面における何れか一面のみに、防湿シート基材２が貼られていない複数の露出箇所を形成して、この一面における防湿シート基材２の貼り合わせ面積の割合を５０〜９０％とするという技術的手段を採用したことによって、防蟻シート材を完成させた。
【００１３】
また、本発明は、上記課題を解決するために、必要に応じて上記手段に加え、ワイヤーメッシュシート基材１のメッシュ目12内に防湿シート基材２の熱溶融樹脂を滲入硬化して、防湿シート基材２・２同士を接合一体化するという技術的手段を採用した。
【００１４】
更にまた、本発明は、上記課題を解決するために、必要に応じて上記手段に加え、防湿シート基材２・２同士の対向部分の全面を接合するという技術的手段を採用した。
【００１５】
更にまた、本発明は、上記課題を解決するために、必要に応じて上記手段に加え、ワイヤーメッシュシート基材１のステンレス金属線材11の線径を、０．０５ｍｍ以上にするという技術的手段を採用した。
【００１６】
更にまた、本発明は、上記課題を解決するために、必要に応じて上記手段に加え、ワイヤーメッシュシート基材１のメッシュ目12の一辺サイズを、０．２〜０．５ｍｍにするという技術的手段を採用した。
【００１７】
更にまた、本発明は、上記課題を解決するために、必要に応じて上記手段に加え、防湿シート基材２を構成する熱可塑性樹脂材料を、ポリエチレンまたはエチレン酢酸ビニルにするという技術的手段を採用した。
【００１９】
また、本発明は、ステンレス金属線材11をそれぞれ経糸および緯糸として、織物構造からなるワイヤーメッシュシート基材１を作製する一方、
防湿性を有し、熱可塑性樹脂材料を押出成形機によって薄手シート状に押し出して防湿シート基材２を作製し、
前記ワイヤーメッシュシート基材１の両面にそれぞれ防湿シート基材２・２を被覆する一方、
これら対向する防湿シート基材２・２を帯熱軟化状態にしてヒートプレスして、防湿シート基材２・２同士の少なくとも一部を、前記ワイヤーメッシュシート基材１のメッシュ目12を貫通した状態で冷却硬化することによって互いに接合し、当該ワイヤーメッシュシート基材１を挟持して、これら少なくとも三層のシート基材を積層一体化し、
更に積層一体化したシート基材の表面における何れか一面において、防湿シート基材２を部分的に剥離してワイヤーメッシュシート基材１を露出させ、この一面における防湿シート基材２の貼り合わせ面積の割合を５０〜９０％とするという技術的手段を採用したことによって、防蟻シート材の製造方法を完成させた。
【００２０】
更にまた、本発明は、ステンレス金属線材11をそれぞれ経糸および緯糸とする織物構造からなるワイヤーメッシュシート基材１と；このワイヤーメッシュシート基材１に積層一体化されており、かつ、防湿性を有し、熱可塑性樹脂材料を薄手シート状に成形してなる防湿シート基材２とを具備して構成されるシート材を用いる防蟻構造であって、
前記ワイヤーメッシュシート基材１の両面をそれぞれ防湿シート基材２・２が被覆している一方、
これら対向する防湿シート基材２・２同士の少なくとも一部が、前記ワイヤーメッシュシート基材１のメッシュ目12を貫通した状態で互いに接合されて、当該ワイヤーメッシュシート基材１を挟持しており、これら少なくとも三層のシート基材が積層一体化して構成されている一方、
前記防湿シート基材２の非接着部分21または非対向部分において、露出したワイヤーメッシュシート基材１と構造物の躯体３とをシーラント接着剤４によって接着するという技術的手段を採用したことによって、防蟻シート材を用いた防蟻構造を完成させた。
【発明の効果】
【００２１】
本発明にあっては、ステンレス金属線材をそれぞれ経糸および緯糸とする織物構造からなるワイヤーメッシュシート基材と；このワイヤーメッシュシート基材に積層されており、かつ、防湿性を有し、熱可塑性樹脂材料を薄手シート状に成形してなる防湿シート基材とを具備して構成される積層シート材であって、
前記ワイヤーメッシュシート基材の両面にそれぞれ防湿シート基材を被覆する一方、これら対向する防湿シート基材同士の少なくとも一部を、前記ワイヤーメッシュシート基材のメッシュ目を貫通した状態で互いに接合して、当該ワイヤーメッシュシート基材を挟持して、これら少なくとも三層のシート基材を積層一体化して構成したことによって、形態安定性に優れていてメッシュ目の広がりを防止することができるとともに、シート材のよれを防止して建造物への布設を容易にすることもできる。
【００２２】
また、本発明の防蟻シート材を製造するにあっては、ワイヤーメッシュシート基材を防湿シート基材同士により挟持してヒートプレスすることによって、メッシュ目を貫通した状態で互いに接合することができるので、防湿シート基材同士の接着に接着剤を使用する必要がなく、簡単かつ強固に接合することができる。
【００２３】
更にまた、本発明の防蟻構造は、簡素な工程で施工することができ、高い防蟻性を得ることができることから、実用的利用価値は頗る高いものがあると云える。
【図面の簡単な説明】
【００２４】
【図１】本発明の実施形態の防蟻シート材の構造を表わす分解斜視図である。
【図２】本発明の実施形態の防蟻シート材の構造を表わす説明断面図である。
【図３】本発明の実施形態の防蟻シート材の変形例を表わす斜視図である。
【図４】本発明の実施形態の防蟻シート材を用いた防蟻構造を表わす説明断面図である。
【発明を実施するための形態】
【００２５】
本発明を実施するための形態を、具体的に図示した図面に基づいて更に詳細に説明すると、次のとおりである。
【００２６】
本発明の実施形態を図１から図４に基づいて説明する。図１中、符号１で指示するものはワイヤーメッシュシート基材であり、このワイヤーメッシュシート基材１は、ステンレス金属線材11をそれぞれ経糸および緯糸とする織物構造からなる。本実施形態では、このステンレス金属線材11をステンレス鋼（ＳＵＳ３０４など）により作製する。
【００２７】
また、符号２で指示するものは防湿シート基材であり、この防湿シート基材２は、防湿性を有し、熱可塑性樹脂材料を薄手シート状に成形してなる。
【００２８】
更にまた、符号３で指示するものは構造物の躯体であり、符号４で指示するものはシーラント接着剤である。
【００２９】
しかして、本実施形態は、前記ワイヤーメッシュシート基材１と防湿シート基材２とを具備して構成される積層シート材であって、構成するにあっては、まず、前記ワイヤーメッシュシート基材１の両面にそれぞれ防湿シート基材２・２を被覆する。
【００３０】
本実施形態では、ワイヤーメッシュシート基材１のステンレス金属線材11の線径を、０．０５ｍｍ以上にするとともに、メッシュ目12の一辺サイズを、０．２〜０．５ｍｍにして、更に、ワイヤーメッシュシート基材１の硬さをショア硬度８０以上にする。こうすることによって、適度に可撓性を付与しつゝ、シロアリの通過を確実に防止することができる。
【００３１】
また、防湿シート基材２を構成する熱可塑性樹脂材料として、ポリエチレン（ＰＥ、より好ましくは低密度ポリエチレン（ＬＤＰＥ））を採用する。なお、他の材料としてエチレン酢酸ビニル（ＥＶＡ）を採用することもできる。本実施形態では、この熱可塑性樹脂材料を押出成形機によって薄手シート状に押し出す（厚さ０．１〜０．２ｍｍ程度）。
【００３２】
次いで、これら対向する防湿シート基材２・２同士の少なくとも一部を、前記ワイヤーメッシュシート基材１のメッシュ目12を貫通した状態で互いに接合する。
【００３３】
具体的には、防湿シート基材２・２をそれぞれ加熱して帯熱軟化状態にして、所定の圧力でヒートプレスして、ワイヤーメッシュシート基材１のメッシュ目12内に、防湿シート基材２の熱溶融樹脂が滲入硬化して、冷却硬化することによって、これらの樹脂が融着して防湿シート基材２・２同士を互いに接合一体化せしめる（図２参照）。
【００３４】
このようにして、当該ワイヤーメッシュシート基材１を挟持することができ、これら少なくとも三層のシート基材（防湿シート基材２／ワイヤーメッシュシート基材１／防湿シート基材２）を積層一体化して、本発明の防蟻シート材が完成する。
【００３５】
この際、防湿シート基材２・２同士の対向部分の全面を接合することができ、これら三層のシート基材を強固に接合一体化することができる。
【００３６】
また、本実施形態では、ワイヤーメッシュシート基材１の表面における何れか一面の防湿シート基材２の貼り合わせ面積（被覆面積）の割合を、５０〜９０％にすることもできる。この数値範囲が好ましいのは、５０％以下であると、ワイヤーメッシュシート基材１と防湿シート基材２との接合力が弱くなって、ワイヤーメッシュシート基材１がよれてしまうおそれがあり、また、９０％以上であると、後述する防蟻構造において、構造物の躯体３に接着する際のシーラント接着剤４の塗布しろが小さくさなるため、使い勝手が悪くなるからである。
【００３７】
なお、ワイヤーメッシュシート基材１と防湿シート基材２とを貼り合わせていない部分は、非接着部分21であり、何れか一方の面にのみ防湿シート基材２が被覆されている箇所は非対向部分であり、ワイヤーメッシュシート基材１が露出している。
【００３８】
＜防蟻構造について＞
次に、本実施形態の防蟻シート材を用いた防蟻構造について説明する。本防蟻構造を構築するにあっては、まず、上記のごとく構成したシート材について、図３に示すように、少なくとも前記防湿シート基材２に非接着部分21（または非対向部分）を有するものを採用する。
【００３９】
そして、当該非接着部分21（または非対向部分）において、露出したワイヤーメッシュシート基材１と構造物の躯体３とをシーラント接着剤４によって接着する。この露出箇所を形成するにあっては、当該部分の防湿シート基材２を剥離するか、カッターナイフなどで切開して、ワイヤーメッシュシート基材１を露出させることができる。
【００４０】
また、本実施形態においては、例えば、土間のコンクリートの上面および下面や、基礎際の土間コンクリート（構造物の躯体３）の境に、本発明の防蟻シート材をＬ字状に布設したり、基礎側面、基礎天端、基礎断熱材の表面などに布設することができる。
【００４１】
然る後、前記ワイヤーメッシュシート基材１の露出部分において、シーラント接着剤４（本実施形態ではシリコーン系）を塗布して、当該ワイヤーメッシュシート基材１を構造物の躯体３に接着することによって、防蟻構造を完成することができる（図４参照）。
【００４２】
本発明は、概ね上記のように構成されるが、図示の実施形態に限定されるものでは決してなく、「特許請求の範囲」の記載内において種々の変更が可能であって、例えば、ワイヤーメッシュシート基材１の使用材料は、不銹性の金属であれば、ステンレス鋼に限らず、アルミニウムなどを採用することができる。
【００４３】
また、シーラント接着剤４も材料の相性に応じて適宜変更することができ、これら何れのものも本発明の技術的範囲に属する。
【符号の説明】
【００４４】
１    ワイヤーメッシュシート基材
11    ステンレス金属線材
12    メッシュ目
２    防湿シート基材
21    非接着部分
３    構造物の躯体
４    シーラント接着剤
【図１】
0005610576.tif 000002
【図２】
0005610576.tif 000003
【図３】
0005610576.tif 000004
【図４】
0005610576.tif 000005